(57)【要約】【課題】  映像コンテンツの中でユーザが興味をもった広告コンテンツに関する情報を、所望の端末に任意のタイミングで表示することを可能とする情報提供の技術を提供する。【解決手段】  映像コンテンツに付随する広告コンテンツに関連する関連情報を提供するための情報提供システムおいて使用されるセンタ端末において、ユーザを特定するためのユーザ情報と、映像コンテンツを特定するためのコンテンツ情報と、広告コンテンツを特定するための特定情報を受信する受信手段と、映像コンテンツ毎に、広告コンテンツの識別情報と当該広告コンテンツに対応する特定情報とを関連付けて保持する広告情報保持手段と、前記コンテンツ情報、及び前記特定情報を用いて前記広告情報保持手段から広告コンテンツの識別情報を取得し、当該広告コンテンツの識別情報もしくは当該広告コンテンツに関連する関連情報と、ユーザ情報とを対応付けて保持する保持手段と、ユーザ情報に基づき前記広告コンテンツに関連する関連情報を提供する送信手段とを備える。【選択図】  図１  
2004180272.tif 000002
【特許請求の範囲】
【請求項１】
映像コンテンツに付随する広告コンテンツに関連する関連情報を提供するための情報提供システムであって、
ユーザを特定するためのユーザ情報を取得する手段と、
映像コンテンツを特定するためのコンテンツ情報を取得する手段と、
ユーザからの入力に対応する広告コンテンツを特定するための特定情報を取得する手段と、
前記ユーザ情報、前記コンテンツ情報、及び前記特定情報をマーク情報として送信する手段とを有するユーザ端末と、
映像コンテンツ毎に、広告コンテンツの識別情報と当該広告コンテンツに対応する特定情報とを関連付けて保持する広告情報保持手段と、
前記マーク情報に含まれるコンテンツ情報、及び前記特定情報を用いて前記広告情報保持手段から広告コンテンツの識別情報を取得し、当該広告コンテンツの識別情報もしくは当該広告コンテンツに関連する関連情報と、ユーザ情報とを対応付けて保持する保持手段と、
ユーザ情報に基づき前記広告コンテンツに関連する関連情報を提供する送信手段とを有するセンタ端末と  
を有することを特徴とする情報提供システム。
【請求項２】
前記センタ端末は、ユーザ情報を含む閲覧依頼を閲覧端末から受信したことに応じて前記関連情報を当該閲覧端末に送信する請求項１に記載の情報提供システム。
【請求項３】
前記センタ端末は、所定の通知時刻に、あるユーザに対応する前記関連情報を当該ユーザの閲覧端末に送信する請求項１に記載の情報提供システム。
【請求項４】
前記所定の通知時刻は、前記広告コンテンツに関連する情報が未公開であれば公開日に近い日時、ユーザから指定された日時、又は、所定の間隔で定められた日時のうちのいずれかである請求項３に記載の情報提供システム。
【請求項５】
前記ユーザ端末は、パッケージメディアの映像あるいは放送から受信した映像コンテンツを再生する再生手段を有し、
前記広告コンテンツを特定するための特定情報は、当該広告コンテンツの前記映像コンテンツにおける再生位置情報である請求項１に記載の情報提供システム。
【請求項６】
前記センタ端末は、前記広告コンテンツの識別情報に対応付けて前記関連情報を保持する関連情報保持手段を有し、前記広告コンテンツの識別情報を用いて当該関連情報保持手段から関連情報を取得する請求項１に記載の情報提供システム。
【請求項７】
前記ユーザ端末は、前記映像コンテンツを特定するためのコンテンツ情報を、ユーザによる入力、前記パッケージメディア内に埋め込まれたデジタルデータ、他の端末、もしくは、前記放送に含まれる情報から取得する請求項１に記載の情報提供システム。
【請求項８】
映像コンテンツに付随する広告コンテンツに関連する関連情報を提供するための情報提供システムおいて使用されるセンタ端末であって、
ユーザを特定するためのユーザ情報と、映像コンテンツを特定するためのコンテンツ情報と、広告コンテンツを特定するための特定情報を受信する受信手段と、
映像コンテンツ毎に、広告コンテンツの識別情報と当該広告コンテンツに対応する特定情報とを関連付けて保持する広告情報保持手段と、
前記コンテンツ情報、及び前記特定情報を用いて前記広告情報保持手段から広告コンテンツの識別情報を取得し、当該広告コンテンツの識別情報もしくは当該広告コンテンツに関連する関連情報と、ユーザ情報とを対応付けて保持する保持手段と、
ユーザ情報に基づき前記広告コンテンツに関連する関連情報を提供する送信手段と
を有することを特徴とするセンタ端末。
【請求項９】
ユーザ情報を含む閲覧依頼を閲覧端末から受信したことに応じて前記関連情報を当該閲覧端末に送信する請求項８に記載のセンタ端末。
【請求項１０】
所定の通知時刻に、あるユーザに対応する前記関連情報を当該ユーザの閲覧端末に送信する請求項８に記載のセンタ端末。
【請求項１１】
前記所定の通知時刻は、前記広告コンテンツに関連する情報が未公開であれば公開日に近い日時、ユーザから指定された日時、又は、所定の間隔で定められた日時のうちのいずれかである請求項１０に記載のセンタ端末。
【請求項１２】
前記広告コンテンツの識別情報に対応付けて前記関連情報を保持する関連情報保持手段を有し、前記広告コンテンツの識別情報を用いて当該関連情報保持手段から関連情報を取得する請求項８に記載のセンタ端末。
【請求項１３】
映像コンテンツに付随する広告コンテンツに関連する関連情報を提供するための情報提供システムおいて使用されるユーザ端末であって、
ユーザを特定するためのユーザ情報を取得する手段と、
映像コンテンツを特定するためのコンテンツ情報を取得する手段と、
ユーザからの入力に対応する広告コンテンツを特定するための特定情報を取得する手段と、
前記ユーザ情報、前記コンテンツ情報、及び前記特定情報をマーク情報としてセンタ端末に送信する手段と
を有することを特徴とするユーザ端末。
【請求項１４】
ユーザ情報を含む関連情報取得依頼を前記センタ端末に送信し、当該センタ端末から前記マーク情報に対応する前記広告コンテンツに関連する関連情報を取得する手段を更に有する請求項１３に記載のユーザ端末。
【請求項１５】
前記ユーザ端末は、パッケージメディアの映像あるいは放送から受信した映像コンテンツを再生する再生手段を更に有し、
前記広告コンテンツを特定するための特定情報として、当該広告コンテンツの前記映像コンテンツにおける再生位置情報を取得する請求項１３に記載のユーザ端末。
【請求項１６】
前記映像コンテンツを特定するためのコンテンツ情報を、ユーザによる入力、前記パッケージメディア内に埋め込まれたデジタルデータ、他の端末、もしくは、前記放送に含まれる情報から取得する請求項１３に記載のユーザ端末。
【請求項１７】
ユーザ端末とセンタ端末を有する情報提供システムが映像コンテンツに付随する広告コンテンツに関連する関連情報を提供する方法であって、
ユーザ端末が、
ユーザを特定するためのユーザ情報を取得し、
映像コンテンツを特定するためのコンテンツ情報を取得し、
ユーザからの入力に対応する広告コンテンツを特定するための特定情報を取得し、
前記ユーザ情報、前記コンテンツ情報、及び前記特定情報をマーク情報としてセンタ端末に送信し、
センタ端末は、
映像コンテンツ毎に、広告コンテンツの識別情報と当該広告コンテンツに対応する特定情報とを関連付けて広告情報保持手段に保持し、
前記マーク情報に含まれるコンテンツ情報、及び前記特定情報を用いて前記広告情報保持手段から広告コンテンツの識別情報を取得し、当該広告コンテンツの識別情報もしくは当該広告コンテンツに関連する関連情報と、ユーザ情報とを対応付けて保持し、
ユーザ情報に基づき前記広告コンテンツに関連する関連情報を提供する送信することを特徴とする方法。  
【請求項１８】
前記センタ端末は、ユーザ情報を含む閲覧依頼を閲覧端末から受信したことに応じて前記関連情報を当該閲覧端末に送信する請求項１７に記載の方法。
【請求項１９】
前記センタ端末は、所定の通知時刻に、あるユーザに対応する前記関連情報を当該ユーザの閲覧端末に送信する請求項１７に記載の方法。
【請求項２０】
前記所定の通知時刻は、前記広告コンテンツに関連する情報が未公開であれば公開日に近い日時、ユーザから指定された日時、又は、所定の間隔で定められた日時のうちのいずれかである請求項１９に記載の方法。
【請求項２１】
前記ユーザ端末は、パッケージメディアの映像あるいは放送から受信した映像コンテンツを再生する再生手段を有し、
前記広告コンテンツを特定するための特定情報は、当該広告コンテンツの前記映像コンテンツにおける再生位置情報である請求項１７に記載の方法。
【請求項２２】
前記センタ端末は、前記広告コンテンツの識別情報に対応付けて前記関連情報を保持する関連情報保持手段を有し、前記広告コンテンツの識別情報を用いて当該関連情報保持手段から関連情報を取得する請求項１７に記載の方法。
【請求項２３】
前記ユーザ端末は、前記映像コンテンツを特定するためのコンテンツ情報を、ユーザによる入力、前記パッケージメディア内に埋め込まれたデジタルデータ、他の端末、もしくは、前記放送に含まれる情報から取得する請求項１７に記載の方法。
【請求項２４】
センタ端末が映像コンテンツに付随する広告コンテンツに関連する関連情報を提供するための方法であって、
映像コンテンツ毎に、広告コンテンツの識別情報と当該広告コンテンツに対応する特定情報とを関連付けて広告情報保持手段に保持し、
ユーザを特定するためのユーザ情報と、映像コンテンツを特定するためのコンテンツ情報と、広告コンテンツを特定するための特定情報を受信し、
前記コンテンツ情報、及び前記特定情報を用いて前記広告情報保持手段から広告コンテンツの識別情報を取得し、当該広告コンテンツの識別情報もしくは当該広告コンテンツに関連する関連情報と、ユーザ情報とを対応付けて保持し、
ユーザ情報に基づき前記広告コンテンツに関連する関連情報を提供することを特徴とする方法。
【請求項２５】
前記センタ端末は、ユーザ情報を含む閲覧依頼を閲覧端末から受信したことに応じて前記関連情報を当該閲覧端末に送信する請求項２４に記載の方法。
【請求項２６】
前記センタ端末は、所定の通知時刻に、あるユーザに対応する前記関連情報を当該ユーザの閲覧端末に送信する請求項２４に記載の方法。
【請求項２７】
前記所定の通知時刻は、前記広告コンテンツに関連する情報が未公開であれば公開日に近い日時、ユーザから指定された日時、又は、所定の間隔で定められた日時のうちのいずれかである請求項２６に記載の方法。
【請求項２８】
前記センタ端末は、前記広告コンテンツの識別情報に対応付けて前記関連情報を保持する関連情報保持手段を有し、前記広告コンテンツの識別情報を用いて当該関連情報保持手段から関連情報を取得する請求項２４に記載の方法。
【請求項２９】
映像コンテンツに付随する広告コンテンツに関連する関連情報を提供するための情報提供システムにおいて使用されるユーザ端末の処理の方法であって、
ユーザを特定するためのユーザ情報を取得し、
映像コンテンツを特定するためのコンテンツ情報を取得し、
ユーザからの入力に対応する広告コンテンツを特定するための特定情報を取得し、
前記ユーザ情報、前記コンテンツ情報、及び前記特定情報をマーク情報としてセンタ端末に送信することを特徴とする方法。
【請求項３０】
前記ユーザ端末は、ユーザ情報を含む関連情報取得依頼を前記センタ端末に送信し、当該センタ端末から前記マーク情報に対応する前記広告コンテンツに関連する関連情報を取得する請求項２９に記載の方法。
【請求項３１】
前記ユーザ端末は、パッケージメディアの映像あるいは放送から受信した映像コンテンツを再生する再生手段を有し、前記広告コンテンツを特定するための特定情報として、当該広告コンテンツの前記映像コンテンツにおける再生位置情報を取得する請求項２９に記載の方法。
【請求項３２】
前記ユーザ端末は、前記映像コンテンツを特定するためのコンテンツ情報を、ユーザによる入力、前記パッケージメディア内に埋め込まれたデジタルデータ、他の端末、もしくは、前記放送に含まれる情報から取得する請求項２９に記載の方法。
【請求項３３】
コンピュータを、映像コンテンツに付随する広告コンテンツに関連する関連情報を提供するための情報提供システムおいて使用されるセンタ端末として機能させるプログラムであって、コンピュータを、
ユーザを特定するためのユーザ情報と、映像コンテンツを特定するためのコンテンツ情報と、広告コンテンツを特定するための特定情報を受信する受信手段、
映像コンテンツ毎に、広告コンテンツの識別情報と当該広告コンテンツに対応する特定情報とを関連付けて保持する広告情報保持手段、
前記コンテンツ情報、及び前記特定情報を用いて前記広告情報保持手段から広告コンテンツの識別情報を取得し、当該広告コンテンツの識別情報もしくは当該広告コンテンツに関連する関連情報と、ユーザ情報とを対応付けて保持する保持手段、
ユーザ情報に基づき前記広告コンテンツに関連する関連情報を提供する送信手段
として機能させるプログラム。
【請求項３４】
コンピュータを、ユーザ情報を含む閲覧依頼を閲覧端末から受信したことに応じて前記関連情報を当該閲覧端末に送信する手段として更に機能させる請求項３３に記載のプログラム。
【請求項３５】
コンピュータを、所定の通知時刻に、あるユーザに対応する前記関連情報を当該ユーザの閲覧端末に送信する手段として更に機能させる請求項３３に記載のプログラム。
【請求項３６】
前記所定の通知時刻は、前記広告コンテンツに関連する情報が未公開であれば公開日に近い日時、ユーザから指定された日時、又は、所定の間隔で定められた日時のうちのいずれかである請求項３５に記載のプログラム。
【請求項３７】
コンピュータを、前記広告コンテンツの識別情報に対応付けて前記関連情報を保持する関連情報保持手段、前記広告コンテンツの識別情報を用いて当該関連情報保持手段から関連情報を取得する手段として更に機能させる請求項３３に記載のプログラム。
【請求項３８】
コンピュータを、映像コンテンツに付随する広告コンテンツに関連する関連情報を提供するための情報提供システムおいて使用されるユーザ端末として機能させるプログラムであって、コンピュータを、
ユーザを特定するためのユーザ情報を取得する手段、
映像コンテンツを特定するためのコンテンツ情報を取得する手段、
ユーザからの入力に対応する広告コンテンツを特定するための特定情報を取得する手段、
前記ユーザ情報、前記コンテンツ情報、及び前記特定情報をマーク情報としてセンタ端末に送信する手段
として機能させるプログラム。
【請求項３９】
コンピュータを、ユーザ情報を含む関連情報取得依頼を前記センタ端末に送信し、当該センタ端末から前記マーク情報に対応する前記広告コンテンツに関連する関連情報を取得する手段として更に機能させる請求項３８に記載のプログラム。
【請求項４０】
コンピュータを、
パッケージメディアの映像あるいは放送から受信した映像コンテンツを再生する再生手段、
前記広告コンテンツを特定するための特定情報として、当該広告コンテンツの前記映像コンテンツにおける再生位置情報を取得する手段として更に機能させる請求項３８に記載のプログラム。
【請求項４１】
コンピュータを、前記映像コンテンツを特定するためのコンテンツ情報を、ユーザによる入力、前記パッケージメディア内に埋め込まれたデジタルデータ、他の端末、もしくは、前記放送に含まれる情報から取得する手段として更に機能させる請求項３８に記載のプログラム。
【請求項４２】
請求項３３ないし４１のうちいずれか１項に記載のプログラムを記録したコンピュータ読み取り可能な記録媒体。
【発明の詳細な説明】
【技術分野】
【０００１】
本発明は、映像コンテンツに付随する広告コンテンツに関連する関連情報を提供するための技術に関する。
【背景技術】
【０００２】
コンテンツの任意の部分に関連する詳細情報をユーザに提供する従来技術としては、以下に示す技術がある。
【０００３】
最初の技術は「情報提供装置」（特許文献１：特開平９−１６０８５２号）に開示された技術である。当該技術は、放送メディアの受信端末とユーザ端末（コンピュータ）を組み合わせて、ユーザの簡単な操作により、視聴している番組の詳細情報を要求することを可能にする技術である。この情報提供装置では、チャネル番号とユーザ要求取得時刻の組を、番組の詳細情報のアドレスを提供しうるアドレスサーバに送信し、アドレスサーバは、受信した組を詳細情報のアドレスに変換し、ユーザ端末に提供する。また、ある時間が経過した後にユーザからの要求に基づいて詳細情報のアドレスを提供することもできる。
【０００４】
次の技術は、「ＡＶ情報の再生システム及び同システムに適用する再生方法」（特許文献２：特開平９−３２８５９６号）である。当該技術では、記憶媒体を再生中、詳細情報（Ｗｅｂページ）を表示可能な場合にそのことを明示するマーク（「Ｗｅｂマーク」）を表示し、「Ｗｅｂマーク」をクリックするなどのユーザの操作により、詳細情報を再生装置に提供する。
【０００５】
また、「再生システム，再生端末装置」（特許文献３：特開平１０−６２７２４号）では、再生端末で再生されるデータファイル（音楽や映像）に関連した詳細情報が情報サーバから再生端末にダウンロードされ、表示される。再生端末は、再生データファイルの識別情報を情報センタに送信し、情報センタは、受信した識別情報に基づいて、詳細情報のＵＲＬを再生端末に送信する。
【特許文献１】特開平９−１６０８５２号公報
【特許文献２】特開平９−３２８５９６号公報
【特許文献３】特開平１０−６２７２４号公報
【発明の開示】
【発明が解決しようとする課題】
【０００６】
しかしながら、上記従来の技術には、以下のような問題がある。
【０００７】
上記の「情報提供装置」（特開平９−１６０８５２）は、放送メディアでの利用を想定している。また、ユーザによる詳細情報要求の操作の検出に、チャネル番号と時刻を用いているため、パッケージメディアでの検出に応用することは不可能である。
【０００８】
また、上記の「ＡＶ情報の再生システム及び同システムに適用する再生方法」（特開平９−３２８５９６号）の詳細情報の表示は、「ｗｅｂマーク」が表示されているときにユーザによる要求操作が行われた場合のみである。任意のタイミングで非同期に表示させたり、再生機器とは別の端末に表示させることはできない。
【０００９】
また、上記の「再生システム，再生端末装置」（特開平１０−６２７２４号）は、再生コンテンツの中で、ユーザが興味を持ったものに関する詳細情報のみを表示することはできない。また、その詳細情報を、任意のタイミングで表示させることもできない。
【００１０】
また、上記従来の技術では、ユーザが興味を覚えた情報を記録しておくことはできるが、ユーザからの要求がないと関連情報の提供ができないことから、ユーザが記録した事実を忘れてしまった場合、せっかく記録した情報を有効に利用することができないという問題もある。
【００１１】
本発明の目的は、映像コンテンツの中でユーザが興味をもった広告コンテンツに関する情報を、所望の端末に任意のタイミングで表示することを可能とする情報提供の技術を提供することである。
【課題を解決するための手段】
【００１２】
上記の課題は、映像コンテンツに付随する広告コンテンツに関連する関連情報を提供するための情報提供システムであって、ユーザを特定するためのユーザ情報を取得する手段と、映像コンテンツを特定するためのコンテンツ情報を取得する手段と、ユーザからの入力に対応する広告コンテンツを特定するための特定情報を取得する手段と、前記ユーザ情報、前記コンテンツ情報、及び前記特定情報をマーク情報として送信する手段とを有するユーザ端末と、映像コンテンツ毎に、広告コンテンツの識別情報と当該広告コンテンツに対応する特定情報とを関連付けて保持する広告情報保持手段と、前記マーク情報に含まれるコンテンツ情報、及び前記特定情報を用いて前記広告情報保持手段から広告コンテンツの識別情報を取得し、当該広告コンテンツの識別情報もしくは当該広告コンテンツに関連する関連情報と、ユーザ情報とを対応付けて保持する保持手段と、ユーザ情報に基づき前記広告コンテンツに関連する関連情報を提供する送信手段とを有するセンタ端末とを有する情報提供システムにより解決される。
【００１３】
本発明によれば、センタ端末は、ユーザ端末からのマーク情報に基づき、ユーザに対応付けて広告コンテンツに関する情報を保持するので、ユーザは所望の端末を用いて任意のタイミングで広告コンテンツに関する情報を取得できる。
【００１４】
例えば、前記センタ端末は、ユーザ情報を含む閲覧依頼を閲覧端末から受信したことに応じて前記関連情報を当該閲覧端末に送信する。また、前記センタ端末は、所定の通知時刻に、あるユーザに対応する前記関連情報を当該ユーザの閲覧端末に送信することもできる。
【００１５】
この所定の通知時刻として、前記広告コンテンツに関連する情報が未公開であれば公開日に近い日時、ユーザから指定された日時、又は、所定の間隔で定められた日時のうちのいずれかを用いることができる。
【００１６】
また、前記ユーザ端末に、パッケージメディアの映像あるいは放送から受信した映像コンテンツを再生する再生手段を備えることもでき、この場合、前記広告コンテンツを特定するための特定情報は、例えば、当該広告コンテンツの前記映像コンテンツにおける再生位置情報である。
【００１７】
また、前記センタ端末は、前記広告コンテンツの識別情報に対応付けて前記関連情報を保持する関連情報保持手段を有し、前記広告コンテンツの識別情報を用いて当該関連情報保持手段から関連情報を取得するようにしてもよい。
【００１８】
なお、前記ユーザ端末は、前記映像コンテンツを特定するためのコンテンツ情報を、ユーザによる入力、前記パッケージメディア内に埋め込まれたデジタルデータ、他の端末、もしくは、前記放送に含まれる情報から取得することが可能である。
【００１９】
また、上記の課題は、映像コンテンツに付随する広告コンテンツに関連する関連情報を提供するための情報提供システムおいて使用されるセンタ端末であって、ユーザを特定するためのユーザ情報と、映像コンテンツを特定するためのコンテンツ情報と、広告コンテンツを特定するための特定情報を受信する受信手段と、映像コンテンツ毎に、広告コンテンツの識別情報と当該広告コンテンツに対応する特定情報とを関連付けて保持する広告情報保持手段と、前記コンテンツ情報、及び前記特定情報を用いて前記広告情報保持手段から広告コンテンツの識別情報を取得し、当該広告コンテンツの識別情報もしくは当該広告コンテンツに関連する関連情報と、ユーザ情報とを対応付けて保持する保持手段と、ユーザ情報に基づき前記広告コンテンツに関連する関連情報を提供する送信手段とを有するセンタ端末によっても解決できる。
【００２０】
また、上記の課題は、上記のセンタ端末とともに用いられるユーザ端末であって、ユーザを特定するためのユーザ情報を取得する手段と、映像コンテンツを特定するためのコンテンツ情報を取得する手段と、ユーザからの入力に対応する広告コンテンツを特定するための特定情報を取得する手段と、前記ユーザ情報、前記コンテンツ情報、及び前記特定情報をマーク情報としてセンタ端末に送信する手段とを有するユーザ端末によっても解決できる。
【発明の効果】
【００２１】
本発明によれば、センタ端末がユーザ端末からのマーク情報に基づきユーザに対応付けて広告コンテンツに関する情報を保持するので、ユーザは所望の端末を用いて任意のタイミングで広告コンテンツに関する情報を取得できる。
【発明を実施するための最良の形態】
【００２２】
以下、本発明の各実施の形態について添付の図面を参照して説明する。
［第１の実施の形態］
まず、第１の実施の形態の原理について図１、図２を参照して説明する。図１は、第１の実施の形態のパッケージメディアコンテンツ詳細情報取得システムの概要構成図である。なお、パッケージメディアとは、販売やレンタルを目的とする、映像や音楽やゲームなどのコンテンツを記憶している光磁気ディスクや磁気テープなどの記憶媒体のことである。
【００２３】
このシステムは、パッケージメディアのコンテンツの詳細情報を取得するためのシステムである。当該システムは、メディア再生機器２００と、閲覧端末３００と、センタ端末１００とを有している。
【００２４】
メディア再生機器２００は、ユーザからの入力を検出する第１のユーザ入力検出部２３０と、第１のユーザ入力検出部２３０によるユーザの入力からユーザＩＤを取得するユーザＩＤ取得部２４０と、第１のユーザ入力検出部２３０によるユーザの入力、または、メディア内に埋め込まれたディジタルデータからパッケージＩＤを取得するパッケージＩＤ取得部２５０と、第１のユーザ入力検出部２３０による興味を持ったコンテンツに対するユーザの入力からパッケージメディアの再生位置情報を取得する再生位置情報取得部２６０と、ユーザＩＤ、パッケージＩＤ及び再生位置情報をマーク情報として送信するマーク情報送信部２７０とを有するメディア再生機器２００。
【００２５】
センタ端末１００は、他の装置からの情報を受信する受信部１１０と、パッケージＩＤ毎に挿入されている広告コンテンツの再生区間情報と広告コンテンツのコンテンツＩＤを関連付けて保持する広告情報保持部１５０と、受信部１１０において受信したマーク情報に含まれるパッケージＩＤと再生位置情報を広告情報保持部１５０に送ることにより、ユーザが興味を示したコンテンツの特定を依頼し、ユーザＩＤと特定したコンテンツのコンテンツＩＤを対応付けて保存するマーク情報保持部１４０と、各コンテンツ毎にタイトル、レンタル料金、貸出可否、予約可否を含む情報をコンテンツＩＤと対応付けて保持するコンテンツ情報管理部１６０と、受信部１１０において受信した閲覧依頼に含まれるユーザＩＤに基づいてマーク情報保持部を参照してコンテンツＩＤを特定し、該コンテンツＩＤに基づいてコンテンツ情報管理部１６０を検索して、該コンテンツＩＤに関連する情報を該閲覧依頼元に送信するマークコンテンツ情報作成・送信部１７０とを有する。
【００２６】
閲覧端末３００は、ユーザの入力を検出する第２のユーザ入力検出部３１０と、第２のユーザ入力検出部３１０から取得したユーザＩＤを伴う閲覧依頼をセンタ端末１００に送信する閲覧依頼部３３０と、センタ端末１００から取得した応答を表示する表示部３４０とを有する。
【００２７】
次に、図２のシーケンスチャートを参照して上記システムの動作概要を説明する。
【００２８】
メディア再生機器２００は、ユーザからのユーザＩＤの入力を検出して保持しておき（ステップ１）、ユーザからの入力または、メディア内に埋め込まれたディジタルデータからパッケージＩＤを取得する（ステップ２）。そして、メディアを再生し、興味を持ったコンテンツに対するユーザの入力からパッケージメディアの再生位置情報を取得し（ステップ３）、ユーザＩＤ、パッケージＩＤ及び再生位置情報をマーク情報としてセンタ端末に送信する（ステップ４）。
【００２９】
センタ端末は、メディア再生機器から送信されたマーク情報からユーザを特定し、該マーク情報を保存しておく（ステップ５）。閲覧端末３００からユーザＩＤを含む閲覧依頼を受信すると（ステップ６）、閲覧依頼に含まれるユーザＩＤに基づいてユーザを特定し（ステップ７）、閲覧依頼に含まれるユーザＩＤに基づいて、マーク情報に含まれるパッケージＩＤと再生位置情報を検索する（ステップ８）。そして、パッケージＩＤと再生位置情報に基づいてユーザが興味を示したコンテンツのコンテンツＩＤを特定し（ステップ９）、該コンテンツＩＤに関連する情報を、コンテンツＩＤに対応するコンテンツ情報を管理する記憶部から取得して（ステップ１０）、閲覧端末２００に送信する（ステップ１１）。閲覧端末２００はセンタ端末１００から取得した応答を表示する（ステップ１２）。
【００３０】
次に本実施の形態をより具体的に説明する。以下、パッケージメディアのレンタルサービスを例に説明する。
【００３１】
本実施の形態におけるパッケージメディアは、例えば、レンタルビデオやＤＶＤなどである。ユーザはコンテンツの本編に付随する予告編などの広告コンテンツに興味を持つものとする。ユーザが広告コンテンツを視聴して興味を持ったときに、リモコンなどにより簡単な操作を行うだけでその情報がセンタ端末に保持され、ユーザが希望する任意のタイミングで保持されている広告コンテンツに関する詳細情報を閲覧することができる。
【００３２】
詳細情報は、広告コンテンツのタイトルやレンタル料金、ユーザから閲覧要求があった時点でのレンタル可否、レンタルの予約可否などである。
【００３３】
図３は、本発明の第１の実施の形態におけるシステム構成を示す。
【００３４】
第１の実施の形態におけるシステムは、ユーザが借りてきたビデオやＤＶＤなどのメディアを再生するメディア再生機器２００と、ユーザが興味を覚えた広告コンテンツの情報を記憶し、ユーザの要求に基づき、広告コンテンツに関する詳細情報の提示や予約受付などを行うセンタ端末１００と、ユーザが任意のタイミングで広告コンテンツに関する詳細情報を要求する際に用いる閲覧端末３００から構成される。
【００３５】
これらは、インターネットなどの通信回線で接続されているものとする。ここでは、メディア再生機器２００と閲覧端末３００を別の端末として説明するが、同じ端末であってもよい。
【００３６】
図３に示すシステムを構成する各装置について説明する。
【００３７】
メディア再生機器２００は、メディア再生部２１０、表示部２２０、ユーザ入力検出部２３０、ユーザＩＤ取得・保持部２４０、パッケージＩＤ保持部２５０、再生位置情報取得部２６０、マーク情報送信部２７０から構成される。
【００３８】
メディア再生部２１０は、ビデオカセットやＤＶＤなどのメディアの挿入口を持ち、メディアに収録されている映像データを再生する。
【００３９】
表示部２２０は、メディア再生部２１０により再生された映像データや、ユーザに対して操作メニューや操作内容の確認を求める内容を表示する。
【００４０】
ユーザ入力検出部２３０は、ユーザにより入力されるユーザＩＤやパッケージＩＤのほか、広告コンテンツを特定するためのユーザの入力を検出する。
【００４１】
ここで、ユーザＩＤ（ＵＩＤ）とは、ユーザ登録をしたユーザ毎にシステムから予め割り振られるもので、ユーザを特定するために用いられる。また、パッケージＩＤ（ＰＩＤ）とは、ユーザが借りてきた映像コンテンツメディア毎に予め割り振られたものである。
【００４２】
ここで、各ＩＤの具体例とそれぞれの検出方法を述べる。ユーザＩＤ（ＵＩＤ）は、数字やアルファベットで構成される文字列をリモコンやキーボードなどを用いて入力されたものを検出する方法や、ユーザ入力検出部２３０としてバーコードリーダを用いて、会員カードに備わっているバーコードを読み取ることで検出する方法などが考えられる。
【００４３】
パッケージＩＤ（ＰＩＤ）も同様に、パッケージに書かれている文字列をユーザが入力したものを検出する方法や、パッケージに付随するバーコードを読み取る方法もある。また、メディア内にディジタルデータとして埋め込む方法もある。
【００４４】
ユーザＩＤ取得・保持部２４０は、ユーザ入力検出部２３０により検出されたユーザＩＤ（ＵＩＤ）を取得し、保持する。また、メディア再生機器毎に予めユーザＩＤ（ＵＩＤ）を保持していてもよい。
【００４５】
パッケージＩＤ保持部２５０は、ユーザ入力検出部２３０で取得するか、または、メディア内に埋め込まれたディジタルデータからパッケージＩＤ（ＰＩＤ）を取得し、保持する。
【００４６】
再生位置情報取得部２６０は、興味を持った広告コンテンツに対するユーザの入力を検出した際に、その時の再生位置情報（Ｔ）を取得する。再生位置情報（Ｔ）は、収録されている映像全体の相対時間などである。このとき、ユーザの入力は、例えば、リモコンの一時停止ボタンの押下などを想定する。
【００４７】
マーク情報送信部２７０は、保持しているユーザＩＤ（ＵＩＤ）、パッケージＩＤ（ＰＩＤ）、再生位置情報（Ｔ）で構成されるマーク情報（Ｍ）を作成し、センタ端末１００に送信する。
【００４８】
本実施の形態では、各構成要素がすべて１つの機器の中に実装される場合を示すが、ユーザ入力検出部２３０、ユーザＩＤ取得・保持部２４０、パッケージＩＤ保持部２５０、再生位置情報取得部２６０、マーク情報送信部２７０の各構成は、すべてあるいは一部が別の端末やカードなどに実装される場合もある。その場合は、別端末やカードとメディア再生機器３００との間に、赤外線などの無線通信手段や、カードリーダなどのデータ通信手段が必要になる。別端末としては、携帯電話やＰＤＡなどの携帯端末、カードとしては、ＩＣカードや磁気カードなどが用いられる場合がある。その一例は、第２の実施の形態において後述する。
【００４９】
また、同図の例では、センタ端末１００は１つであるが、１つに限定されるものではなく、複数存在することも可能である。例えば、パッケージの製作会社毎にセンタ端末が設けられることもあれば、レンタル会社毎にセンタ端末が設けられることもある。例えば、パッケージに接続先が記載されていたり、レンタル会社が発行するユーザカードに接続先が記載されていたり、レンタル会社が発行するユーザカードに接続先が記載されていることを想定することができる。
【００５０】
センタ装置１００は、受信部１１０、ユーザ特定部１２０、ユーザ情報管理部１３０、マーク情報保持部１４０、広告情報保持部１５０、コンテンツ情報管理部１６０、マークコンテンツ情報作成・送信部１７０、及び予約管理部１８０から構成される。
【００５１】
これらの構成要素は、単一の機器で構成される必要はなく、別々の機器内に実装されてもよい。特に支店として複数の店舗を構える場合、ユーザ情報の管理や、貸出可否及び予約可否の管理は店舗毎に行い、マーク情報の保持は一箇所に集約して行う場合などが考えられる。
【００５２】
受信部１１０は、メディア再生機器２００からマーク情報（Ｍ）を、閲覧端末３００から閲覧依頼（Ｌ）や予約依頼（Ｒ）を受信し、その中に含まれるユーザＩＤ（ＵＩＤ）をユーザ特定部１２０に送る。ユーザが特定されたら、マーク情報（Ｍ）を受信した場合は、マーク情報保持部１４０にマーク情報（Ｍ）の保存を依頼し、閲覧情報（Ｌ）を受信した場合には、マークコンテンツ情報作成・送信部１７０にマークコンテンツ情報（Ｃ）の作成を依頼し、予約依頼（Ｒ）の場合は予約管理部１８０に予約を依頼する。
【００５３】
マーク情報保持部１４０は、マーク情報（Ｍ）に含まれるパッケージＩＤ（ＰＩＤ）と再生位置情報（Ｔ）を広告情報保持部１５０に送ってユーザが興味を示したコンテンツの特定を依頼し、ユーザＩＤ（ＵＩＤ）と特定したコンテンツのコンテンツＩＤ（ＣＩＤ）を関連させて保存する。ここで、コンテンツＩＤ（ＣＩＤ）とは、映像コンテンツを一意に特定するために予め各コンテンツ毎に割り振られているものである。
【００５４】
広告情報保持部１５０は、パッケージＩＤ（ＰＩＤ）毎に挿入されている広告コンテンツの再生区間情報と広告コンテンツのコンテンツＩＤ（ＣＩＤ）を関連付けて保持する。
【００５５】
コンテンツ情報管理部１６０は、各コンテンツ毎にタイトル、レンタル料金、貸出可否、予約可否などの情報をコンテンツＩＤ（ＣＩＤ）と関連付けて保持する。
【００５６】
マークコンテンツ情報作成・送信部１７０は、閲覧依頼（Ｌ）に含まれるユーザＩＤ（ＵＩＤ）を用いてマーク情報保持部１４０に保存データを問い合わせ、このユーザによりマークが行われたコンテンツの情報（マークコンテンツ情報（Ｃ））を作成し、閲覧端末３００に送信する。この情報には、マークが行われたコンテンツのタイトルやレンタル料金、貸出可否、予約可否、コンテンツＩＤ（ＣＩＤ）、他のお薦めコンテンツ情報などが含まれる。ユーザがマークした際に視聴した広告映像を再度ここで提供する場合もある。
【００５７】
予約管理部１８０は、予約依頼（Ｒ）に含まれるユーザＩＤ（ＵＩＤ）とコンテンツＩＤ（ＣＩＤ）と予約日時（Ｄ）を用いて予約を管理する。ここで、予約日時（Ｄ）は、ユーザにより入力された予約を希望する日時である。このとき、パスワードなどを用いたユーザの認証を行う場合もある。
【００５８】
閲覧端末３００は、ユーザ入力検出部３１０、ユーザＩＤ取得・保持部３２０、マークコンテンツ情報閲覧依頼部３３０、表示部３４０、及び予約依頼部３５０から構成される。
【００５９】
ユーザ入力検出部３１０とユーザＩＤ取得・保持部３２０は、メディア再生機器２００と同じであるため、これらの説明は省略する。
【００６０】
マークコンテンツ情報閲覧依頼部３３０は、ユーザの入力によりマークされた広告コンテンツの情報閲覧を要求するために、ユーザＩＤ（ＵＩＤ）を含む閲覧依頼（Ｌ）を作成し、センタ端末１００に送信する。
【００６１】
表示部３４０は、センタ端末１００からマークコンテンツ情報（Ｃ）を受信し、表示する。
【００６２】
予約依頼部３５０は、ユーザの入力により取得した予約日時（Ｄ）とマークコンテンツ情報（Ｃ）に含まれるコンテンツＩＤ（ＣＩＤ）、ユーザＩＤ（ＵＩＤ）で構成される予約依頼（Ｒ）を作成し、センタ端末１００に送信する。このとき、センタ端末１００からのユーザ認証の要求に従い、ユーザのパスワードの入力などを検出してセンタ端末１００に送信する場合もある。
【００６３】
次に、図４〜図８を用いて処理の流れを説明する。
【００６４】
図４は、本発明の第１の実施の形態におけるメディア再生機器の処理のフローチャートである。
【００６５】
まず、ユーザがレンタルしてきたビデオやＤＶＤが当該メディア再生機器２００にセットされると、ユーザＩＤ取得・保持部２４０で予めユーザＩＤ（ＵＩＤ）を保持しているかどうかを確認する。もし保持していない場合には（ステップ１０１、ｎｏ）、ユーザによるユーザＩＤ（ＵＩＤ）の入力を検出して（ステップ１０２，ｙｅｓ）、保持する（ステップ１０３）。保持している場合には、そのまま次の処理を行う。
【００６６】
次に、ユーザの入力を検出するか、または、メディアに記録されているディジタルデータを読み取ることにより、パッケージＩＤ（ＰＩＤ）を取得し（ステップ１０４）、メディア再生処理を行う（ステップ１０５）。そして、ユーザが視聴した広告コンテンツに興味を持ちマークしておくために行った入力を検出し（ステップ１０６）、そのときの再生位置情報（Ｔ）を取得する（ステップ１０７）。
【００６７】
前述のように、このときのマークの方法は、リモコンを用いて「一時停止ボタン」を押すといった、簡単な方法で行えるものとする。保持しているユーザＩＤ（ＵＩＤ）、パッケージＩＤ（ＰＩＤ）、取得した再生位置情報（Ｔ）を用いてマーク情報（Ｍ）を作成し、センタ端末１００に送信する（ステップ１０８）。  次に、センタ端末１００の処理について説明する。
【００６８】
図５は、本発明の第１の実施の形態におけるセンタ端末の処理のフローチャートである。
【００６９】
メディア再生機器２００からのマーク情報（Ｍ）か、閲覧端末３００からの閲覧依頼（Ｌ）または、予約依頼（Ｒ）の受信を待機する。マーク情報（Ｍ）を受信した場合（ステップ２０１、ｙｅｓ）、その中に含まれるユーザＩＤ（ＵＩＤ）を用いてユーザの特定処理を行う（ステップ２０２）。ユーザの特定処理は、受信部１１０からユーザＩＤ（ＵＩＤ）を受け取ったユーザ特定部１２０が、予めユーザの登録に基づいて、ユーザ情報を保持しているユーザ情報管理部１３０に問い合わせ、システムに登録されているユーザによるマーク情報（Ｍ）の送信であることを確認する。もし、登録されていない場合は、新規に登録を要求する表示をメディア再生機器２００に行わせるための情報を送信してもよい。
【００７０】
続けて、マーク情報（Ｍ）の保存処理を行う（ステップ２０３）。このサブフローを図６を用いて説明する。
【００７１】
マーク情報保持部１４０は、受信部１１０からマーク情報（Ｍ）を受信し（ステップ３０１）、その中のパッケージＩＤ（ＰＩＤ）と再生位置情報（Ｔ）を広告情報保持部１５０に送り、該当する広告コンテンツのコンテンツＩＤ（ＣＩＤ）を取得する（ステップ３０２）。広告情報保持部１５０で保持するデータの例を図７に示す。パッケージＩＤ（ＰＩＤ）毎に、広告コンテンツの再生位置とそのコンテンツＩＤ（ＣＩＤ）を対応付けて記憶している。
【００７２】
そして、マーク情報保持部１４０は、取得したコンテンツＩＤ（ＣＩＤ）とユーザＩＤ（ＵＩＤ）を対応付けて保存する（ステップ３０３）。このとき、マークが行われた日時として、システムが持つ時計がその時に指し示す時刻を合わせて記憶してもよいし、そのユーザによりそのコンテンツのレンタルが行われたかどうかを判別するためのフラグを記憶するデータ領域を設けてもよい。マーク情報保持部１４０で保持するデータの例を図８に示す。なお、同図では、ユーザは１つのマークを付与する例を示しているが、１ユーザに付き複数のマーク情報を管理できる。閲覧依頼に対して、ユーザＩＤからコンテンツを特定するときに、１つのコンテンツに特定しなくてもよく、ユーザＩＤと組み合わせ保存しているコンテンツＩＤはすべて閲覧端末３００に表示してもよい。勿論、何等かの処理で表示させるコンテンツを絞ることもあり得る。一例としては、同図に示す『レンタル有無』のフラグを用いて、既にレンタル済みのコンテンツは表示しないといったことも可能である。
【００７３】
次に、センタ端末１００は、閲覧端末からの閲覧依頼（Ｌ）の受信を待機し、受信した場合は（ステップ２０４）、その中に含まれるユーザＩＤ（ＵＩＤ）を用いてユーザ特定処理を行う（ステップ２０５）。その処理は、前述と同様であるので説明は省略する。
【００７４】
続けてマークコンテンツ情報（Ｃ）を作成し、閲覧端末３００に送信する処理を行う（ステップ２０６）。当該処理を図９を用いて説明する。
【００７５】
図９は、本発明の第１の実施の形態におけるマークコンテンツ情報作成・送信処理のフローチャートである。
【００７６】
マークコンテンツ情報作成・送信部１７０は、受信部１１０から閲覧依頼（Ｌ）を受信し（ステップ４０１）、その中のユーザＩＤ（ＵＩＤ）をマーク情報保持部１４０に送り、そのユーザＩＤ（ＵＩＤ）に対応付けて記憶しているコンテンツＩＤ（ＣＩＤ）を特定する（ステップ４０２）。このとき、レンタルの有無を表すフラグのデータがある場合には、まだレンタルされていないコンテンツのデータのみ取得してもよい。取得したコンテンツＩＤ（ＣＩＤ）をコンテンツ情報管理部１６０に送り、必要な情報を取得する（ステップ４０３）。例えば、コンテンツのタイトル、レンタル料金、現在の予約・貸出の可否情報等である。コンテンツ情報管理部１６０で保持するデータの例を図１０に示す。その他、広告コンテンツの映像や、その他のコンテンツのお薦め情報が含まれていてもよい。これらの情報とコンテンツＩＤ（ＣＩＤ）を用いて、マークコンテンツ情報（Ｃ）を作成し、閲覧端末３００に送信する（ステップ４０４）。
【００７７】
閲覧端末３００から予約依頼（Ｒ）を受信した場合は、その中に含まれるユーザＩＤ（ＵＩＤ）を用いてユーザ特定処理を行い、続けて予約受付処理を行う。このときのユーザ特定処理は、ユーザの認証を行うために、パスワードの入力などを要求する情報を閲覧端末３００に送信する処理が追加される場合もある。予約受付処理は、予約管理部１８０が受信部１１０から予約依頼（Ｒ）を受け取り、その中に含まれるユーザＩＤ（ＵＩＤ）とコンテンツＩＤ（ＣＩＤ）と予約日時（Ｄ）、及びコンテンツ情報管理部１６０で保持する予約可否情報を用いて、そのコンテンツのレンタル予約を行う。
【００７８】
図１１は、本発明の第１の実施の形態における閲覧端末の処理のフローチャートである。
【００７９】
まず、ユーザＩＤ（ＵＩＤ）の取得処理を行う。この処理は、メディア再生機器２００における処理と同じであるので説明は省略する。
【００８０】
ユーザＩＤ（ＵＩＤ）を用いて閲覧依頼（Ｌ）を作成し、センタ端末１００に送信する（ステップ５０３，５０４）。そのレスポンスとしてマークコンテンツ情報（Ｃ）をセンタ端末１００から受信し、表示部３４０で表示する（ステップ５０５）。その後、レンタル予約するためのユーザの入力を検出した場合（ステップ５０６）、ユーザＩＤ（ＵＩＤ），マークコンテンツ情報（Ｃ）に含まれるコンテンツＩＤ（ＣＩＤ）、ユーザにより入力された予約日時（Ｄ）を用いて予約依頼（Ｒ）を作成し、センタ端末１００に送信する（ステップ５０７）。このとき、センタ端末１００からパスワードなどの入力を求める要求を受信し、ユーザからの入力を検出してセンタ端末１００に送信する場合もある。レンタル予約するためのユーザの入力を受信しない場合は、そのまま終了する。
【００８１】
図１２は、本発明の第１の実施の形態におけるメディア再生機器とセンタ端末との間のシーケンスチャートである。
【００８２】
メディア再生機器２００において、ユーザＩＤ入力検出・保持処理を行う（ステップ６０１）。続けてパッケージＩＤ取得処理を行い（ステップ６０２）、メディア再生処理を行う（ステップ６０３）。ユーザの入力を検出して再生位置取得処理を行い（ステップ６０４）、マーク情報作成・送信処理（ステップ６０５）により、マーク情報（Ｍ）をセンタ端末１００に送信する（ステップ６０６）。
【００８３】
センタ端末１００は、これを受信すると、ユーザ特定処理を行って（ステップ６０７）、特定されたらマーク情報保存処理を行う（ステップ６０８）。
【００８４】
また、閲覧端末３００において、ユーザＩＤ入力検出・保持処理が行われ（ステップ６０９）、閲覧依頼処理により閲覧依頼（Ｌ）が作成され（ステップ６１０）、センタ端末１００に送信される（ステップ６１１）。
【００８５】
センタ端末１００は、これを受信するとユーザ特定処理を行って（ステップ６１２）、マークコンテンツ情報（Ｃ）を作成し、閲覧端末３００に送信する（ステップ６１３）。
【００８６】
閲覧端末３００は、これを受信して表示する。ユーザの入力により表示されたコンテンツのレンタル予約を行う場合には、予約依頼（Ｒ）を作成し（ステップ６１４）、センタ端末１００に送信する（ステップ６１５）。
【００８７】
センタ端末１００は、これを受信し、ユーザの特定処理を行い（ステップ６１６）、予約受付処理を行う（ステップ６１７）。
【００８８】
［第２の実施の形態］
図１３は、本発明の第２の実施の形態におけるシステム構成を示す。本実施の形態では、第１の実施の形態において、メディア再生機器２００に実装されているとしたユーザ入力検出部２３０、ユーザＩＤ取得・保持部２４０、パッケージＩＤ保持部２５０、マーク情報送信部２７０が携帯端末４００に実装させたものである。つまり、これらの機器が、メディア再生機器２００以外の端末に実装される場合を示す。
【００８９】
図１３において、図３と同一構成部分には同一符号を付し、その説明を省略する。また、センタ端末１００が携帯端末４００からマーク情報を受信した後の動作は、全て第１の実施の形態と同様であるので、説明は省略する。
【００９０】
図１３に示す各構成要素について説明する。
【００９１】
メディア再生機器２００は、メディア再生部２１０、表示部２２０、再生位置情報取得部２６０、及び通信部２８０から構成される。
【００９２】
通信部２８０は、携帯端末４００とデータ通信を行うものであり、赤外線やBluetooth などの無線通信や、バーコードの読み取りやＩＣカードなどのカードによるデータの送受信手段等が挙げられる。
【００９３】
携帯端末４００より再生位置情報取得依頼（ＲＴ）を受信すると、再生位置情報取得部２６０に渡して再生位置情報（Ｔ）の取得を依頼する。そして、再生位置情報（Ｔ）を受け取ると、携帯端末４００に送信する。それ以外の構成要素は、第１の実施の形態と同様である。
【００９４】
携帯端末４００は、ユーザ入力検出部４１０、ユーザＩＤ取得・保持部４２０、パッケージＩＤ保持部４３０、マーク情報送信部４４０、及び通信部４５０から構成される。
【００９５】
パッケージＩＤ保持部４３０は、ユーザからの入力を検出してパッケージＩＤ（ＰＩＤ）を特定し、保持する。メディア再生機器２００で再生されているパッケージを特定するために、ユーザによるパッケージＩＤ（ＰＩＤ）の入力を検出することを想定したが、メディア再生機器２００内にパッケージＩＤを特定する手段を設け、通信部２８０を介して取得してもよい。
【００９６】
また、ユーザ入力検出部４１０は、興味を持った広告コンテンツを特定するためのユーザの入力を検出すると、通信部４５０を介して再生位置情報取得依頼（ＲＴ）をメディア再生機器２００に送信する。
【００９７】
通信部４５０は、メディア再生機器２００から再生位置情報（Ｔ）を受信したらマーク情報送信部４４０に渡す。
【００９８】
次に、図１４、図１５を用いて処理の流れを説明する。
【００９９】
図１４は、本発明の第２の実施の形態における携帯端末の処理のフローチャートである。
【０１００】
ユーザＩＤの取得処理（ステップ７０１）からパッケージＩＤの取得処理（ステップ７０４）までは、第１の実施の形態のメディア再生機器２００の動作と同様であるため、その説明を省略する。
【０１０１】
広告コンテンツを特定するためのユーザの入力を検出したら、再生位置情報取得依頼（ＲＴ）を通信部４５０に渡して、通信部４５０は、これをメディア再生機器２００に送信する（ステップ７０５、７０６）。そのレスポンスとして、メディア再生機器２００から再生位置情報（Ｔ）を受信したら（ステップ７０７）、それをマーク情報送信部４４０に渡し、ユーザＩＤ（ＵＩＤ）、パッケージＩＤ（ＰＩＤ）、再生位置情報（Ｔ）を用いてマーク情報（Ｍ）を作成し、センタ端末１００に送信して終了する（ステップ７０８）。
【０１０２】
図１５は、本発明の第２の実施の形態におけるメディア再生機器の処理のフローチャートである。
【０１０３】
まず、メディア再生部２１０でパッケージメディアを再生し（ステップ８０１）、表示部２２０に表示する。通信部２８０が、携帯端末４００から再生位置情報取得依頼（ＲＴ）を受信したら（ステップ８０２）、再生位置情報取得部２６０をこれを受け取り、再生位置情報（Ｔ）を取得して通信部２８０を介して携帯端末４００に送信する（ステップ８０３）。
【０１０４】
図１６は、本発明の第２の実施の形態における携帯端末とメディア再生機器との間のシーケンスチャートである。
【０１０５】
まず、携帯端末４００がユーザＩＤ取得処理を行う（ステップ９０１）。次に、メディア再生機器２００でパッケージメディア再生処理が行われ（ステップ９０２）、続けて携帯端末４００でパッケージＩＤ取得処理が行われる（ステップ９０３）。そして、携帯端末４００で再生位置情報取得依頼処理が行われ（ステップ９０４）、再生位置情報取得依頼（ＲＴ）がメディア再生機器２００に送信される（ステップ９０５）。
【０１０６】
メディア再生機器２００はこれを受信すると、再生位置情報取得処理を行い（ステップ９０６）、再生位置情報（Ｔ）を携帯端末４００に送信する（ステップ９０７）。
【０１０７】
携帯端末４００は、再生位置情報を受信すると、マーク情報作成・送信処理を行い（ステップ９０９）、センタ端末１００にマーク情報（Ｍ）を送信する（ステップ９１０）。以降のシーケンスは、第１の実施の形態と同様であるので、その説明を省略する。
【０１０８】
［第３の実施の形態］
次に、本発明の第３の実施の形態について説明する。図１７に第３の実施の形態におけるシステム構成を示す。本実施の形態は、第１の実施の形態に示したメディア再生機器２００と閲覧端末１００を１つの装置（メディア再生・閲覧端末２０５）としたものである。  図１７において、図３と同一構成部分には同一符号を付し、その説明を省略する。また、センタ端末１００の動作は、第１の実施の形態と同様である。
【０１０９】
図１７に示すメディア再生・閲覧端末２０５におけるユーザ入力検出部２３５は、図３に示すメディア再生機器２００のユーザ入力検出部２３０と閲覧端末３００のユーザ入力検出部３１０の両方の機能を有している。また、図１７に示すメディア再生・閲覧端末２０５におけるユーザＩＤ取得・保持部２４５は、図３に示すメディア再生機器２００のユーザＩＤ取得・保持部２４０と閲覧端末３００のユーザＩＤ取得・保持部３２０の両方の機能を有している。メディア再生・閲覧端末２０５におけるその他の構成部分については、メディア再生機器２００と閲覧端末３００におけるユーザ入力検出部とユーザＩＤ取得・保持部以外の部分と同じである。
【０１１０】
メディア再生・閲覧端末２０５におけるメディア再生時の動作は図４に示した動作と同じであり、情報閲覧時の動作は図１１に示したものと同じである。
【０１１１】
図１８は、本発明の第３の実施の形態におけるメディア再生・閲覧端末とセンタ端末との間のシーケンスチャートである。
【０１１２】
メディア再生・閲覧端末２０５において、ユーザＩＤ入力検出・保持処理を行う（ステップ９５１）。続けてパッケージＩＤ取得処理を行い（ステップ９５２）、メディア再生処理を行う（ステップ９５３）。ユーザの入力を検出して再生位置取得処理を行い（ステップ９５４）、マーク情報作成・送信処理（ステップ９５５）により、マーク情報（Ｍ）をセンタ端末１００に送信する（ステップ９５６）。
【０１１３】
センタ端末１００は、これを受信すると、ユーザ特定処理を行って（ステップ９５７）、特定されたらマーク情報保存処理を行う（ステップ９５８）。
【０１１４】
また、メディア再生・閲覧端末２０５において、ユーザＩＤ入力検出・保持処理が行われ（ステップ９５９）、閲覧依頼処理により閲覧依頼（Ｌ）が作成され（ステップ９６０）、センタ端末１００に送信される（ステップ９６１）。
【０１１５】
センタ端末１００は、これを受信するとユーザ特定処理を行って（ステップ９６２）、マークコンテンツ情報（Ｃ）を作成し、メディア再生・閲覧端末２０５に送信する（ステップ９６３）。
【０１１６】
メディア再生・閲覧端末２０５は、これを受信して表示する。ユーザの入力により表示されたコンテンツのレンタル予約を行う場合には、予約依頼（Ｒ）を作成し（ステップ９６４）、センタ端末１００に送信する（ステップ９６５）。
【０１１７】
センタ端末１００は、これを受信し、ユーザの特定処理を行い（ステップ９６６）、予約受付処理を行う（ステップ９６７）。
【０１１８】
［第４の実施の形態］
図１９は、本発明の第４の実施の形態におけるシステム構成を示す。本実施の形態は、ユーザの要求に応じて再生中のパッケージに含まれる広告コンテンツの一覧をユーザに示し、その中から興味を持ったコンテンツを選択するユーザに選択させて、そのコンテンツをマークしておくものである。
【０１１９】
センタ端末１００がマーク情報を保持した後の動作については、第２の実施の形態と同様であるので、その説明は省略する。
【０１２０】
マーク端末５００とは、第１の実施の形態の例におけるメディア再生機器２００、第２の実施の形態における携帯端末４００に相当する。
【０１２１】
マーク端末５００は、ユーザ入力検出部５１０、ユーザＩＤ取得・保持部５２０、パッケージＩＤ保持部５３０、広告コンテンツ一覧依頼部５４０、マーク情報送信部５５０、及び表示部５６０から構成される。
【０１２２】
マーク端末５００は、メディア再生機器でない場合もあるので、メディア再生部を備えることは必須ではない。
【０１２３】
ユーザ入力検出部５１０は、ユーザＩＤ（ＵＩＤ）やパッケージＩＤ（ＰＩＤ）、マーク情報の送信の決定などのユーザの入力を検出する。ここで、パッケージＩＤ（ＰＩＤ）は、パッケージに印刷された数字やバーコードなどをユーザの操作によって読み取らせるものとするが、メディア再生部を備える場合は、メディアに記録されているディジタルデータとして読み取る場合もある。
【０１２４】
パッケージＩＤ保持部５３０は、取得したパッケージＩＤ（ＰＩＤ）を保持し、広告コンテンツ一覧依頼部５４０に渡す。
【０１２５】
広告コンテンツ一覧依頼部５４０は、受け取ったパッケージＩＤ（ＰＩＤ）をセンタ端末１００に送信する。
【０１２６】
マーク情報送信部５５０は、まず、センタ端末１００より広告コンテンツ一覧（ＡＤ）を受信し、表示部５６０に表示を依頼する。ここで、広告コンテンツ一覧（ＡＤ）は、一つのパッケージ内に収録されている広告コンテンツのすべてのコンテンツＩＤ（ＣＩＤ）からなる。次に、ユーザの入力の検出により、表示部５６０に表示された広告コンテンツ一覧の中からマークするコンテンツのコンテンツＩＤ（ＣＩＤ）を特定し、ユーザＩＤ取得・保持部５２０より受け取ったユーザＩＤ（ＵＩＤ）と共にマーク情報（Ｍ）を作成し、センタ端末１００に送信する。
【０１２７】
その他の構成は、他の実施の形態と同様である。
【０１２８】
センタ端末１００は、送受信部１９０、広告情報保持部１５０、マーク情報保持部１４０、ユーザ特定部１２０、ユーザ情報管理部１３０とを有する。
【０１２９】
送受信部１９０は、マーク端末５００との間で各種データの送受信を行う。
【０１３０】
広告情報保持部１５０は、送受信部１９０からパッケージＩＤ（ＰＩＤ）を受け取ると、広告コンテンツ一覧（ＡＤ）を作成し、送受信部１９０に送る。広告コンテンツ一覧（ＡＤ）には、図７に示すようにパッケージＩＤ毎に保持しているすべての広告コンテンツのコンテンツＩＤ（ＣＩＤ）が含まれる。
【０１３１】
マーク情報保持部１４０は、送受信部１９０からマーク情報（Ｍ）を受け取り、マーク情報に含まれるユーザＩＤ（ＵＩＤ）とコンテンツＩＤ（ＣＩＤ）を対応付けて保存する。
【０１３２】
ユーザ特定部１２０及びユーザ情報管理部１３０は、第１の実施の形態の例と同様である。
【０１３３】
次に、図２０及び図２１を用いて処理の流れを説明する。
【０１３４】
図２０は、本発明は、第４の実施の形態におけるマーク端末の処理のフローチャートである。
【０１３５】
ユーザＩＤの取得処理、及び、パッケージＩＤの取得処理までは、第１の実施の形態のメディア再生機器の場合と同様であるため、その説明を省略する。
【０１３６】
ユーザの入力を検出し（ステップ１００１、１００２）、パッケージＩＤ（ＰＩＤ）をセンタ端末１００に送信して広告コンテンツ一覧（ＡＤ）を要求する（ステップ１００３〜１００５）。センタ端末１００から広告コンテンツ一覧（ＡＤ）を受信したら表示部５６０に表示する（ステップ１００６）。コンテンツを選択するユーザの入力を検出したら（ステップ１００７）、選択されたコンテンツのコンテンツＩＤ（ＣＩＤ）を特定し、ユーザＩＤ（ＵＩＤ）を利用してマーク情報（Ｍ）を作成し、センタ端末１００に送信する（ステップ１００８）。
【０１３７】
図２１は、本発明の第４の実施の形態におけるセンタ端末の処理のフローチャートである。
【０１３８】
マーク端末５００から広告コンテンツ一覧を要求するためのパッケージＩＤ（ＰＩＤ）を受信すると（ステップ１１０１）、広告情報保持部１５０にパッケージＩＤ（ＰＩＤ）を送り（ステップ１１０２）、広告情報保持部１５０は広告コンテンツ一覧（ＡＤ）を作成し、送受信部１９０を介してマーク端末５００に送信する（ステップ１１０３）。マーク端末５００からマーク情報（Ｍ）を受信すると（ステップ１１０４）、ユーザ特定部１２０がその中に含まれるユーザＩＤ（ＵＩＤ）を使ってユーザを特定し、マーク情報保持部１４０がユーザＩＤ（ＵＩＤ）とマーク情報（Ｍ）に含まれるコンテンツＩＤ（ＣＩＤ）を対応付けて保存する（ステップ１１０５）。
【０１３９】
図２２は、本発明の第３の実施の形態におけるマーク端末とセンタ端末との間のシーケンスチャートである。
【０１４０】
まず、マーク端末５００でユーザＩＤの取得・保持処理（ステップ１２０１）、パッケージＩＤの取得・保持処理（ステップ１２０２）が行われる。ユーザの入力を検出して、パッケージＩＤ送信処理を行い（ステップ１２０３）、マーク端末５００からセンタ端末１００にパッケージＩＤ（ＰＩＤ）が送信される（ステップ１２０４）。
【０１４１】
センタ端末１００は、パッケージＩＤ（ＰＩＤ）を受信し、広告コンテンツ一覧作成処理（ステップ１２０５）、広告コンテンツ送信処理（ステップ１２０６）が行われ、広告コンテンツ一覧（ＡＤ）がマーク端末５００に送信される（ステップ１２０７）。
【０１４２】
マーク端末５００は、広告コンテンツ一覧（ＡＤ）を受信し、広告コンテンツ一覧表示処理を行う（ステップ１２０８）。続けてユーザによるマークコンテンツ選択検出処理（ステップ１２０９）を行い、マーク情報作成・送信処理（ステップ１２１０）を行ってマーク情報（Ｍ）をセンタ端末１００に送信する（ステップ１２１１）。センタ端末１００は、マーク情報を受信し、マーク情報の保存処理を行う（ステップ１２１２）。
【０１４３】
以降のシーケンスは、第１の実施の形態の例の場合と同様である。
【０１４４】
上述のように、第１〜第４の実施の形態によれば、パッケージメディアの再生機器において、再生コンテンツの任意の部分を特定するユーザの操作を検出し、その部分に関する詳細情報をユーザが希望する任意のタイミングで、再生機器あるいは、ユーザが表示を希望する任意の端末に表示することが可能となる。
【０１４５】
すなわち、ビデオやＤＶＤなどのレンタルメディア内の他のコンテンツの広告を視聴したユーザが、簡単な操作をするだけでコンテンツをマークするだけで後から改めて閲覧することが可能になる。その際に、その時点でのレンタル可否や、日時を指定した予約の可否などの付加的な情報をユーザに提供することが可能である。
【０１４６】
また、広告コンテンツを改めて視聴させることにより、広告の露出機会を増加させることも可能である。
【０１４７】
また、閲覧端末として携帯端末を用いることにより、マークしたコンテンツの情報を時間や場所を選ばずにユーザに提供することも可能である。
【０１４８】
さらに、ユーザの操作が行われた時間を使ってマークするコンテンツを特定するのではなく、一覧から選択させることにより、メディア再生機器をシステム中に介在させる必要がなくなる。
【０１４９】
さらに、課金手段を付加するだけで、有料優先予約サービスや割引予約サービスといった応答サービスを提供することも可能である。また、レンタルを開始していないコンテンツの広告コンテンツを利用する場合に、ユーザのマーク数によって需要予測の高精度化に役立てることも可能である。
【０１５０】
［第５の実施の形態］
まず、第５の実施の形態の概要について図２３、２４を参照して説明する。
図２３は、第５の実施の形態の概要構成図である。
【０１５１】
第５の実施の形態の広告コンテンツ提供システムは、提供される映像コンテンツに付随する広告コンテンツを提供するためのものであり、情報取得部８０１と、広告コンテンツ管理テーブル８３０と、広告コンテンツ特定部８０２と、記憶部８６０と、通知時刻決定部８０３と、広告コンテンツ提供部８７０とを有している。
【０１５２】
情報取得部８０１は、映像コンテンツを特定するためのコンテンツ情報と、該映像コンテンツの中に含まれる広告コンテンツがユーザに提供されている際、または、任意の時間経過後にユーザの操作による時間情報を含む該広告コンテンツを特定するための情報と、ユーザの通知先情報を含むユーザ情報を取得する。広告コンテンツ管理テーブル８３０は、映像コンテンツにおける広告コンテンツの位置関係を記録した表である。広告コンテンツ特定部８０２は、映像コンテンツを特定するためのコンテンツ情報及び広告コンテンツを特定するための情報に基づいて、広告コンテンツ管理テーブル３３０を検索し、広告コンテンツを特定する。記憶部８６０は、ユーザ情報と特定された広告コンテンツに関連する情報を格納しておくものである。通知時刻決定部８０３は、記憶部８６０に格納されている広告コンテンツに関連する情報に応じてユーザに対する通知時刻を決定する。広告コンテンツ提供部８７０は、通知時刻になった時、広告コンテンツに関連する情報をユーザの通知先情報に基づいて提供するものである。
【０１５３】
上記システムの動作概要は図２４に示す通りである。
【０１５４】
まず、映像コンテンツを特定するためのコンテンツ情報と、該映像コンテンツの中に含まれる広告コンテンツがユーザに提供されている際、または、任意の時間経過後に、ユーザの操作による時間情報を含む該広告コンテンツを特定するための情報と、ユーザの通知先情報を含むユーザ情報を取得する（ステップ１３０１）。
【０１５５】
そして、映像コンテンツを特定するためのコンテンツ情報及び広告コンテンツを特定するための情報に基づいて、映像コンテンツにおける広告コンテンツの位置関係を記録した表を検索し、広告コンテンツを特定する（ステップ１３０２）。ユーザ情報と特定された広告コンテンツに関連する情報を格納しておき（ステプ１３０３）、広告コンテンツに関連する情報に応じてユーザに対する通知時刻を決定し（ステップ１３０４）、通知時刻になった時、広告コンテンツに関連する情報をユーザに提供する（ステップ１３０５）。
【０１５６】
以下、第５の実施の形態をより詳細に説明する。
【０１５７】
本実施の形態では、映画館で上映される映画を鑑賞する場合の例を用いて説明する。映画で本編と同時に上映される予告編のうち、ユーザが興味を覚えた映画の情報をセンタ端末で記録しておき、その映画が公開される直前、あるいは、直後にユーザに改めて通知することで、ユーザは公開された事実を忘れることなく、映画館に足を運ぶことが可能になる。
【０１５８】
図２５は、本発明の第５の実施の形態のおけるシステム構成を示す。
【０１５９】
同図に示すシステムは、上映される映画の情報をユーザの携帯端末７００に送信する上映場所端末６００と、ユーザが映画を鑑賞中に携帯して操作を行う携帯端末７００と、ユーザの要求によりユーザが興味を覚えたコンテンツを記録し、改めて当該コンテンツに関連する情報をユーザに通知するセンタ端末８００とで構成される。
【０１６０】
上映場所端末６００は、例えば、映画館の入口の受付などに設置されることを想定する。
【０１６１】
携帯端末７００とセンタ端末８００との間は、インターネットなどの無線通信回線で接続されているものとし、携帯端末７００と上映場所端末６００との間は、前述のような無線通信あるいは、赤外線通信やバーコードを読み取るといった近距離無線通信が可能であるとする。
【０１６２】
また、本実施の形態では、ユーザが記録を依頼する端末と、改めて情報を受信する端末は同一の携帯端末としているが、別端末で実装してもよい。
【０１６３】
上映場所端末６００は、上映情報送信部６１０を備え、携帯端末７００からの上映情報の要求に従い、上映情報として上映コンテンツ情報（Ｃ）、上映場所情報（Ｌ）を携帯端末７００に送信する。ここで、上映コンテンツ情報（Ｃ）とは、携帯端末７００を所持するユーザが鑑賞している映画を一意に識別するための情報である。また、上映場所情報（Ｌ）とは、当該映画を上映している映画館を一意に識別するための情報である。すべての映画館が一意に識別されるように付与されている場合もあるが、複数の映画館を系列会社が運営している状況などでは、その複数の映画館を一つの対象として識別されるように付与されている場合もある。携帯端末７００への送信手段として、無線インターネット、無線ＬＡＮ、赤外線通信、Bluetooth などの無線通信手段や、バーコードやＩＣチップを用いて情報を読み取る手段などを想定する。本実施の形態では、上映場所端末６００から携帯端末７００に送信されるものとして説明するが、携帯端末７００は、任意のｗｅｂサイトからの上映情報を取得する場合もある。
【０１６４】
携帯端末７００は、上映情報受信部７１０、ユーザ入力部７２０、時間情報取得部７３０、記録依頼送信部７４０、ユーザ情報保持部７５０、通知受信部７６０、表示部７７０、記録コンテンツ情報保持部８８０から構成される。
【０１６５】
上映情報受信部７１０は、上映場所端末６００に上映情報を要求し、上映コンテンツ情報（Ｃ）と上映場所情報（Ｌ）を受信し保持する。これらの情報は、ｗｅｂサイトから受信する場合もある。
【０１６６】
ユーザ情報保持部７５０は、ユーザの操作により予めセンタ端末８００にユーザ登録が行われているものとし、その際に用いたユーザ情報（Ｕ）を保持する。ユーザ情報（Ｕ）は、ユーザを一意に識別できるものとし、予め携帯端末７００に付与されている場合もあり、センタ端末８００から付与される場合もある。
【０１６７】
ユーザ入力部７２０は、上映コンテンツに含まれる予告編に興味を覚えたユーザの入力を検出し、その時の時刻を取得するよう、時間情報取得部７３０に要求する。
【０１６８】
時間情報取得部７３０は、時計が内蔵されているものとし、ユーザ入力部７２０からの要求を受けた時刻を取得して、時間情報（Ｔ）として保持する。
【０１６９】
記録依頼送信部７４０は、上映情報受信部７１０から上映コンテンツ情報（Ｃ）と上映場所情報（Ｌ）、ユーザ情報保持部７５０からユーザ情報（Ｕ）、時刻取得部７３０から時間情報（Ｔ）を受け取り、これらの情報を含む記録依頼（Ｒ）を作成し、センタ端末８００に送信する。作成及び送信のタイミングは、時刻情報取得部７３０が時間情報（Ｔ）を保持した直後でもよいし、記録を要求するユーザの入力を改めて検出した時でもよい。
【０１７０】
通知情報受信部７６０は、センタ端末８００から通知情報（Ｉ）を受信する。通知情報（Ｉ）には、当該ユーザが以前センタ端末８００に記録を依頼したコンテンツに関する情報（記録コンテンツ情報（ＲＣ）詳しくは後述する）と、記録を要求する契機を得た上映場所情報（Ｌ）が含まれる。
【０１７１】
表示部７７０は、通知情報受信部７６０から記録コンテンツ情報（ＲＣ）を受け取り、ユーザに対して表示する。
【０１７２】
記録コンテンツ情報保持部７８０は、通知情報受信部７６０から記録コンテンツ情報（ＲＣ）及び上映場所情報（Ｌ）を受け取り、保持する。
【０１７３】
これらの情報を用いることで、上映場所情報（Ｌ）で特定される映画館で記録コンテンツ情報（ＲＣ）で特定される映画を鑑賞する際に、割引料金などのサービスに応用することが可能である。
【０１７４】
センタ端末８００は、記録依頼受信部８１０、ユーザ情報管理部８２０、予告編情報管理部８３０、関連情報保持部８４０、通知情報確認部８５０、記録部８６０、通知部８７０から構成される。
【０１７５】
記録依頼受信部８１０は、携帯端末７００から記録依頼（Ｒ）を受信し、その中に含まれる情報のうち、ユーザ情報（Ｕ）をユーザ情報管理部８２０に渡して、ユーザの特定を依頼し、上映コンテンツ情報（Ｃ）と時間情報（Ｔ）と上映場所情報（Ｌ）を予告編情報管理部８３０に渡し、ユーザが予告編を観て興味を覚えて記録を依頼しているコンテンツ（記録コンテンツ情報（ＲＣ））の特定を依頼する。さらに、上映場所情報（Ｌ）を記録部８６０に渡して、記録を依頼する。
【０１７６】
ユーザ情報管理部８２０は、予めユーザの要求により登録を受け付け、ユーザ情報（Ｕ）と共に、通知先アドレス（Ａ）を保持する。通知先アドレス（Ａ）は、センタ端末８００からユーザに改めて記録コンテンツに関する情報を通知する際に用いる。ユーザ情報（Ｕ）は、予め端末に付与されている場合もあるが、登録時にセンタ端末８００から付与する場合もある。記録依頼受信部８１０からユーザ情報（Ｕ）を受け取ると、そのユーザ情報（Ｕ）とともに保持している通知先アドレス（Ａ）を特定し、記録部８６０に渡す。
【０１７７】
予告編情報管理部８３０は、上映場所毎に上映スケジュールとその中で上映される予告編に関する情報を保持する。そのデータ例を図２６に示す。上映コンテンツ毎に、本編及び予告編の上映開始・終了時刻と、予告編のコンテンツ情報を保持する。上映コンテンツ情報（Ｃ）及び予告編のコンテンツ情報のフィールドで保存されるデータは、コンテンツを一意に識別するために付与されるものである。記録依頼受信部８１０から上映コンテンツ情報（Ｃ）、時間情報（Ｔ）、上映場所情報（Ｌ）を受け取ると、保持する予告編情報を用いて記録コンテンツ情報（ＲＣ）を特定し、関連情報保持部８４０に渡す。
【０１７８】
関連情報保持部８４０は、記録コンテンツ情報（ＲＣ）から関連情報（ＣＩ）を特定する関連情報テーブル８４１を保持している。特定される関連情報（ＣＩ）とは、タイトル、出演者一覧、あらすじ、静止画像などである。予告編情報管理部８３０から記録コンテンツ情報（ＲＣ）を受け取ると、保持している関連情報テーブル８４１を用いて対応する関連情報（ＣＩ）を特定し、記録部８６０に渡す。関連情報テーブル８４１の例を図２７に示す。
【０１７９】
記録部８６０は、記録依頼受信部８１０から上映場所情報（Ｌ）を受信して記録コンテンツの記録を依頼されると、ユーザ情報管理部８２０から通知先アドレス（Ａ）、関連情報保持部８４０から関連情報（ＣＩ）を受け取り、これらの情報を記録保持する。このとき、関連情報（ＣＩ）を改めてユーザに通知する日時を特定し、合わせて記録するものとする。その方法は、例えば、記録コンテンツがまだ公開になっていなければ、公開日に近い日時などを特定する。このとき、同時に特定及び記録できなかった場合は、後日センタ端末８００の管理者の手によって記録してもよい。また、ユーザに通知を希望する日時を入力するように要求し、ユーザが入力した日時を記録する場合もある。記録されるデータの例を図２８に示す。さらに、通知情報確認部８５０より、通知情報確認依頼（ＣＦ）を定期的に受け、通知すべき情報がある場合には保持している関連情報（ＣＩ）、上映場所情報（Ｌ）、通知先アドレス（Ａ）を通知部８７０に渡し、通知を依頼する。ここで、通知情報確認依頼（ＣＦ）とは、通知情報確認部８５０が、通知すべき情報の有無を定期的に記録部８６０に確認するためのもので、時刻の情報を含むものとする。
【０１８０】
通知情報確認部８５０は、定期的に時刻の情報を含む通知情報確認依頼（ＣＦ）を作成し、記録部８６０に通知すべき情報の有無の確認を依頼する。
【０１８１】
通知部８７０は、記録部８６０から関連情報（ＣＩ）、上映場所情報（Ｌ）を受け取り、これらを含む通知情報（Ｉ）を作成する。また、通知先アドレス（Ａ）を同時に受け取り、これにより、ユーザ端末（携帯端末７００）を特定して通知情報（Ｉ）を送信する。
【０１８２】
次に、上記の構成における動作を説明する。
【０１８３】
図２９は、本発明の第５の実施の形態における上映場所端末の処理のフローチャートである。
【０１８４】
上映場所端末６００は、携帯端末７００から上映情報要求を受信するまで待機し（ステップ１４０１）、受信後、携帯端末７００に上映情報として、上映コンテンツ情報（Ｃ）、上映場所情報（Ｌ）を送信して終了する（ステップ１４０２）。
【０１８５】
図３０は、本発明の第５の実施の形態における携帯端末の処理のフローチャート（その１）であり、ユーザがセンタ端末８００に興味を覚えた予告編の情報の記録を依頼するまでの処理を示す。
【０１８６】
まず、上映場所端末６００に上映情報を要求及び受信する（ステップ１５０１、１５０２）。次に、ユーザの入力を検出するために待機し（ステップ１５０３）、検出した場合に、その時の時間情報（Ｔ）を取得する（ステップ１５０４）。予め保持しているユーザ情報（Ｕ）、上映場所端末６００から受信した上映コンテンツ情報（Ｃ）、及び上映場所情報（Ｌ）、取得した時間情報（Ｔ）を用いて記録依頼を作成し、センタ端末８００に送信して終了する（ステップ１５０５）。
【０１８７】
図３１は、本発明の第５の実施の形態におけるセンタ端末の処理のフローチャート（その１）であり、ユーザ（携帯端末７００）から依頼された記録を行うまでを示す。
【０１８８】
まず、携帯端末７００から記録依頼（Ｒ）を受信するために待機し（ステップ１６０１）、受信したらユーザ情報（Ｕ）を用いてユーザ情報の特定処理を行う（ステップ１６０２）。次に、記録コンテンツ情報（ＲＣ）、及び関連情報（ＣＩ）の特定を行い、記録処理を行い処理を終了する。
【０１８９】
図３２は、本発明の第５の実施の形態におけるセンタ端末の処理のフローチャート（その２）であり、携帯端末７００に関連情報（ＣＩ）を通知する処理を示す。
【０１９０】
センタ端末８００は、まず、定期的に通知すべき情報があるかどうか確認し、（ステップ１７０１）、ある場合には、保持している情報から通知情報を作成し、携帯端末７００に送信して終了する（ステップ１７０２）。
【０１９１】
図３３は、本発明の第５の実施の形態における携帯端末の処理のフローチャート（その２）であり、センタ端末８００からの通知情報（Ｉ）を受信する処理を示す。
【０１９２】
携帯端末７００は、通知情報（Ｉ）を受信するために待機し（ステップ１８０１）、受信したらその中に含まれる関連情報（ＣＩ）を表示部７７０を用いて表示する（ステップ１８０２）。次に、記録コンテンツ情報保持部７８０を用いて関連情報（ＣＩ）と上映場所情報（Ｌ）を保持する（ステップ１８０３）。
【０１９３】
図３４は、本発明の第５の実施の形態における上映場所端末と携帯端末とセンタ端末間のシーケンスチャートである。
【０１９４】
まず、携帯端末７００から上映場所端末６００に上映情報要求が行われ（ステップ１９０１）、上映場所端末６００から携帯端末７００に上映情報として上映コンテンツ情報（Ｃ）と上映場所情報（Ｌ）が送信される（ステップ１９０２）。携帯端末７００は、これを受信し（ステップ１９０３）、ユーザ入力検出処理を経て（ステップ１９０４）、時間情報取得処理を行い（ステップ１９０５）、記録依頼作成・送信処理により、記録依頼（Ｒ）をセンタ端末８００に送信する（ステップ１９０６）。これを受信した（ステップ１９０７）センタ端末８００は、ユーザ情報特定処理（ステップ１９０８）、記録コンテンツ情報及び関連情報特定処理を経て（ステップ１９０９）、記録処理を行う（ステップ１９１０）。
【０１９５】
図３５は、本発明の第５の実施の形態における携帯端末とセンタ端末間の記録コンテンツに関する情報の通知が行われるまでのシーケンスチャートである。
【０１９６】
まず、センタ端末８００において、通知すべき情報の有無を確認する処理が行われ（ステップ２００１）、ある場合には通知情報（Ｉ）が作成され、携帯端末７００に送信される（ステップ２００２）。携帯端末７００は、通知情報（Ｉ）を受信し（ステップ２００３）、当該通知情報（Ｉ）を表示部７７０に表示し（ステップ２００４）、通知情報を記録コンテンツ情報保持部７８０に保持する（ステップ２００５）。
【０１９７】
［第６の実施の形態］
本実施の形態では、電波やインターネットなどの通信網により放送される映像を視聴する場合について説明する。
【０１９８】
図３６は、本発明の第６の実施の形態におけるシステム構成を示す。
【０１９９】
同図に示すシステムは、ユーザが映像を受信して視聴する視聴端末９００と、センタ端末８００と、センタ端末８００からの通知を受信する携帯端末１０００から構成される。ここでは、視聴端末９００と携帯端末１０００を分離して説明するが、１つの端末として構成される場合もある。
【０２００】
視聴端末９００は、前述の第５の実施の形態における携帯端末７００の構成とほぼ同じである。異なるのは、映像受信部９１０、コンテンツ情報保持部９２０を備えていることである。
【０２０１】
ユーザが視聴する映像が電波で放送されている場合、映像受信部９１０は、放送される映像信号を受信し、映像を表示する。そして、このとき、チューニングされているチャンネル番号（ＣＨ）を取得し、コンテンツ情報保持部９３０に渡す。コンテンツ情報保持部９３０は、このチャンネル番号（ＣＨ）を保持する。
【０２０２】
ユーザが視聴する映像を通信網から受信する場合、映像受信部９１０は、この映像信号と受信した映像を一意に識別するためのコンテンツ情報（Ｃ１）（第５の実施の形態における上映コンテンツ情報に相当）を受信して映像を表示すると共に、コンテンツ情報（Ｃ１）をコンテンツ情報保持部９３０に渡す。コンテンツ情報保持部４３０は、これを保持する。
【０２０３】
ユーザ入力部９４０でユーザ入力を検出後、時間情報取得部９５０で、時間情報（Ｔ）を取得する。その他は第５の実施の形態と同様である。
【０２０４】
また、携帯端末１０００は、前述の第５の実施の形態における通知受信部７６０、表示部７７０、記録コンテンツ情報保持部７８０と全く同様である。
【０２０５】
また、センタ端末８００は、前述の第１の実施の形態の構成と全く同様である。ただ、センタ端末８００が備える予告編情報管理部８３０が保持するデータは、電波放送の場合はチャンネル、通信網で放送される場合には、ＵＲＬなどの接続先毎、時刻とＣＭをマッピングさせたデータである。そのデータの例を図３７に示す。第５の実施の形態とは異なり、記録するコンテンツは予告編ではなく、ＣＭである。つまり、記録コンテンツ情報（ＲＣ）の代わりに、ＣＭ情報（ＣＭ）を特定し、保持しているＣＭ情報（ＣＭ）と関連情報（ＣＩ）を対応させるテーブルから関連情報（ＣＩ）を特定するものとする。
【０２０６】
なお、ＣＭ情報（ＣＭ）をユーザに通知する通知時刻は、当該ＣＭ情報の予め指定された配信開始日時以降の日時や、ユーザから指定された日時、または、記録部８６０に定期的に通知する旨が記録されている場合には、定期的に配信する日時に応じて決定するものとする。
【０２０７】
他の処理のフロー、各端末間のシーケンスは、前述の第５の実施の形態と同様である。
【０２０８】
［第７の実施の形態］
本実施の形態では、ＤＶＤなどの記録媒体に記録されている映像データのうち、本編に付随して記録されている予告編などのコンテンツを記録する場合について説明する。
【０２０９】
図３８は、本発明の第７の実施の形態におけるシステム構成を示す。
【０２１０】
同図に示すシステムは、前述の第６の実施の形態とほぼ同じである。視聴端末９００は、映像受信部９１０の代わりに映像再生部９７０を備える。映像再生部９７０は、ＤＶＤなどの記録媒体を格納し、その中に記録されている映像信号を読み込んで映像を再生する。また、第６の実施の形態におけるコンテンツ情報（Ｃ１）の代わりにパッケージ情報（Ｃ２）を取得するが、映像再生部９７０が記憶媒体の中に記録されているパッケージ情報（Ｃ２）を読み取る場合と、ユーザの入力を検出して取得する場合がある。ユーザによる入力は、キーボード入力、赤外線や近距離無線、ＩＣチップなどによる。
【０２１１】
コンテンツ情報保持部９２０は、取得したパッケージ情報（Ｃ２）を保持する。
【０２１２】
また、時間情報取得部９５０が取得する時間情報（Ｔ）は、記録されている映像の開始から相対的な時間である場合や、再生箇所を特定できる映像フレームの番号である場合がある。
【０２１３】
センタ端末８００において、予告編情報保持部８３０が保持するデータは、パッケージデータ（Ｃ２）と時間情報（Ｔ）を用いて、記録コンテンツ情報（ＲＣ）を特定できるデータである。データ例を図３９に示す。
【０２１４】
なお、パッケージの予告編に対応するＣＭ情報（ＣＭ）をユーザに通知する通知時刻は、当該ＣＭ情報の予め指定された配信開始日時以降の日時や、ユーザから指定された日時、または、記録部８６０に定期的に通知する旨が記録されている場合には、定期的に配信する日時に応じて決定するものとする。
【０２１５】
以下、センタ端末８００及び携帯端末７００が備える手段や、各端末の処理フロー及び各端末間の処理シーケンスは、前述の第６の実施の形態と同様であるため、その説明を省略する。
【０２１６】
［第８の実施の形態］
次に、本発明の第８の実施の形態について説明する。
【０２１７】
図４０は、本発明の第８の実施の形態におけるシステム構成を示す。
【０２１８】
同図に示すシステムは、第６もしくは第７の実施の形態における視聴端末９００と携帯端末１０００を１つの装置で実現した視聴・携帯端末９０５を有している。センタ端末の構成は第６もしくは第７の実施の形態と同じである。
【０２１９】
視聴・携帯端末９０５の構成は、第６もしくは第７の実施の形態における視聴端末９００の構成部分と携帯端末１０００の構成部分とをそのまま含むものである。なお、映像再生部９７５は、第６の実施の形態の機能を奏する場合には、映像受信部と称することができる。本実施の形態におけるシステムの動作は、視聴端末９００と携帯端末１０００とが視聴・携帯端末９０５として動作することを除き、第６もしくは第７の実施の形態におけるシステムの動作と同様である。
【０２２０】
上述のように、第５〜第８の実施の形態によれば、映画、テレビ、ビデオやＤＶＤなどの記録媒体、その他によって提供される映像コンテンツ（本編）に付随する広告コンテンツに興味を覚えたユーザは、簡単な操作を行うだけでそのコンテンツを記録することができ、また、記録したことを忘れてしまっても適当なタイミングで通知して貰えることで、記録したコンテンツを視聴する機会を逃すことが少なくなる。
【０２２１】
また、映像コンテンツを提供する側にとっては、興味を覚えてくれたユーザに適切なタイミングで、かつ同じ場所で再び視聴する機会を与えることができる。  また、記録する情報は、コンテンツに関するものだけでなく、商品の関連情報などをその発売直前に通知するなどの応用も可能である。
【０２２２】
なお、各実施の形態におけるセンタ端末やユーザ側の端末は、ＣＰＵ、メモリ、ハードディスク等の記憶手段、及び通信装置等を備えたコンピュータを用いて実現することが可能である。すなわち、コンピュータを本発明における各処理手段として機能させるプログラムを、当該コンピュータにインストールして実行することにより、センタ端末やユーザ側の端末として機能する装置を実現できる。
【０２２３】
また、プログラムを各端末として利用されるコンピュータに接続されるハードディスク装置や、フレキシブルディスク、ＣＤ−ＲＯＭ等の可搬記憶媒体に格納しておき、本発明を実施する際にインストールすることも可能である。また、プログラムをネットワークを介してコンピュータにダウンロードしてインストールすることも可能である。
【０２２４】
なお、本発明は、上記の実施例に限定されることなく、特許請求の範囲内において、種々変更・応用が可能である。
【図面の簡単な説明】
【０２２５】
【図１】本発明の第１の実施の形態におけるシステムの概略構成図である。
【図２】本発明の第１の実施の形態におけるシステムの動作の概要を説明するための図である。
【図３】本発明の第１の実施の形態におけるシステム構成図である。
【図４】本発明の第１の実施の形態におけるメディア再生機器の処理のフローチャートである。
【図５】本発明の第１の実施の形態におけるセンタ端末の処理のフローチャートである。
【図６】本発明の第１の実施の形態におけるセンタ端末におけるマーク情報保存処理のフローチャートである。
【図７】本発明の第１の実施の形態における広告情報保持部で保持するデータの例である。
【図８】本発明の第１の実施の形態におけるセンタ端末のマーク情報保持部で保持するデータの例である。
【図９】本発明の第１の実施の形態におけるマークコンテンツ情報作成・送信処理のフローチャートである。
【図１０】本発明の第１の実施の形態におけるコンテンツ情報管理部で保持するデータの例である。
【図１１】本発明の第１の実施の形態における閲覧端末の処理のフローチャートである。
【図１２】本発明の第１の実施の形態におけるメディア再生機器とセンタ端末間との間のシーケンスチャートである。
【図１３】本発明の第２の実施の形態におけるシステム構成図である。
【図１４】本発明の第２の実施の形態における携帯端末の処理のフローチャートである。
【図１５】本発明の第２の実施の形態におけるメディア再生機器の処理のフローチャートである。
【図１６】本発明の第２の実施の形態における携帯端末とメディア再生機器との間のシーケンスチャートである。
【図１７】本発明の第３の実施の形態におけるシステム構成図である。
【図１８】本発明の第３の実施の形態におけるメディア再生・閲覧端末とセンタ端末との間のシーケンスチャートである。
【図１９】本発明の第４の実施の形態におけるシステム構成図である。
【図２０】本発明の第４の実施の形態におけるマーク端末の処理のフローチャートである。
【図２１】本発明の第４の実施の形態におけるセンタ端末の処理のフローチャートである。
【図２２】本発明の第４の実施の形態におけるマーク端末とセンタ端末との間のシーケンスチャートである。
【図２３】本発明の第５の実施の形態におけるシステム構成の概略を示す図である。
【図２４】本発明の第５の実施の形態におけるシステム動作の概略を示す図である。
【図２５】本発明の第５の実施の形態におけるシステム構成図である。
【図２６】本発明の第５の実施の形態におけるセンタ端末の予告編情報管理で保持されるデータの例である。
【図２７】本発明の第５の実施の形態におけるセンタ端末の関連情報テーブルの例である。
【図２８】本発明の第５の実施の形態におけるセンタ端末の記録部に記録されるデータの例である。
【図２９】本発明の第５の実施の形態における上映場所端末の処理のフローチャートである。
【図３０】本発明の第５の実施の形態における携帯端末の処理のフローチャート（その１）である。
【図３１】本発明の第５の実施の形態におけるセンタ端末の処理のフローチャート（その１）である。
【図３２】本発明の第５の実施の形態におけるセンタ端末の処理のフローチャート（その２）である。
【図３３】本発明の第５の実施の形態における携帯端末の処理のフローチャート（その２）である。
【図３４】本発明の第５の実施の形態における上映場所端末と携帯端末とセンタ端末間のシーケンスチャートである。
【図３５】本発明の第５の実施の形態における携帯端末とセンタ端末間の記録コンテンツに関する情報の通知が行われるまでのシーケンスチャートである。
【図３６】本発明の第６の実施の形態におけるシステム構成図である。
【図３７】本発明の第６の実施の形態におけるセンタ端末の予告情報管理部で保存されるデータの例である。
【図３８】本発明の第７の実施の形態におけるシステム構成図である。
【図３９】本発明の第７の実施の形態における予告編情報管理部が保持するデータの例である。
【図４０】本発明の第８の実施の形態におけるシステム構成図である。
【符号の説明】
【０２２６】
１００  センタ端末
１１０  受信部
１２０  ユーザ特定部
１３０  ユーザ情報管理部
１４０  マーク情報保持部、マーク情報保持部
１５０  広告情報保持部、広告情報保持部
１６０  コンテンツ情報管理部、コンテンツ情報管理部
１７０  マークコンテンツ情報作成・送信部、マークコンテンツ情報作成・送信部
１８０  予約管理部
１９０  送受信部
２００  メディア再生機器
２０５  メディア再生・閲覧端末
２１０  メディア再生部
２２０  表示部
２３０、２３５  第１のユーザ入力検出部、ユーザ入力検出部
２４０、２４５  ユーザＩＤ取得部、ユーザＩＤ取得・保持部
２５０  パッケージＩＤ取得部、パッケージＩＤ保持部
２６０  再生位置情報取得部、再生位置情報取得部
２７０  マーク情報送信部、マーク情報送信部
３００  閲覧端末
３１０  第２のユーザ入力検出部
３２０  ユーザＩＤ取得・保持部
３３０  閲覧依頼部、マークコンテンツ情報閲覧依頼部
３４０  表示部
３５０  予約依頼部
４００  携帯端末
４１０  ユーザ入力検出部
４２０  ユーザＩＤ取得・保持部
４３０  パッケージＩＤ保持部
４４０  マーク情報送信部
４５０  通信部
５００  マーク端末
５１０  ユーザ入力検出部
５２０  ユーザＩＤ取得・保持部
５３０  パッケージＩＤ保持部
５４０  広告コンテンツ一覧依頼部
５５０  マーク情報送信部
５６０  表示部
６００  上映場所端末
６１０  上映情報送信部
７００  携帯端末
７１０  上映情報受信部
７２０  ユーザ入力部
７３０  時間情報取得部
７４０  記録依頼送信部
７５０  ユーザ情報保持部
７６０  通知受信部
７７０  表示部
７８０  記録コンテンツ情報保持部
８００  センタ端末
８０１  情報取得部
８０２  広告コンテンツ特定部
８０３  通知時刻決定部
８１０  記録依頼受信部
８２０  ユーザ情報管理部
８３０  広告コンテンツ管理テーブル、予告編情報管理部
８４０  関連情報保持部
８４１  関連情報テーブル
８５０  通知情報確認部
８６０  記憶部
８７０  広告コンテンツ提供部、通知部
９００  視聴端末
９０５  視聴・携帯端末
９１０  映像受信部
９２０  コンテンツ情報保持部
９３０  ユーザ情報保持部
９４０  ユーザ入力部
９５０  時間情報取得部
９６０  記録依頼送信部
９７０、９７５  映像再生部
１０００  携帯端末
１０１０  通知受信部
１０２０  表示部
１０３０  記録コンテンツ情報保持部
【図１】
2004180272.tif 000003
【図２】
2004180272.tif 000004
【図３】
2004180272.tif 000005
【図４】
2004180272.tif 000006
【図５】
2004180272.tif 000007
【図６】
2004180272.tif 000008
【図７】
2004180272.tif 000009
【図８】
2004180272.tif 000010
【図９】
2004180272.tif 000011
【図１０】
2004180272.tif 000012
【図１１】
2004180272.tif 000013
【図１２】
2004180272.tif 000014
【図１３】
2004180272.tif 000015
【図１４】
2004180272.tif 000016
【図１５】
2004180272.tif 000017
【図１６】
2004180272.tif 000018
【図１７】
2004180272.tif 000019
【図１８】
2004180272.tif 000020
【図１９】
2004180272.tif 000021
【図２０】
2004180272.tif 000022
【図２１】
2004180272.tif 000023
【図２２】
2004180272.tif 000024
【図２３】
2004180272.tif 000025
【図２４】
2004180272.tif 000026
【図２５】
2004180272.tif 000027
【図２６】
2004180272.tif 000028
【図２７】
2004180272.tif 000029
【図２８】
2004180272.tif 000030
【図２９】
2004180272.tif 000031
【図３０】
2004180272.tif 000032
【図３１】
2004180272.tif 000033
【図３２】
2004180272.tif 000034
【図３３】
2004180272.tif 000035
【図３４】
2004180272.tif 000036
【図３５】
2004180272.tif 000037
【図３６】
2004180272.tif 000038
【図３７】
2004180272.tif 000039
【図３８】
2004180272.tif 000040
【図３９】
2004180272.tif 000041
【図４０】
2004180272.tif 000042